(57)【要約】【課題】室内の汚れ状態または（および）人の有無に応じて換気装置への電力供給を制御することにより、換気装置の動作を最適化し、無駄な電力消費を抑制し、かつ空調効率を向上させること。【解決手段】換気装置２０に対する外部からの電力を供給／遮断のいずれかの状態に切り替える電源切替部１３と、室内の空気汚れ度を検出する汚れ検出部１１と、汚れ検出部１１による空気汚れ度をあらかじめ設定される閾値にしたがって判定し、当該判定結果を基に電源切替部１３に対して供給／遮断の切替信号を送り、電源切替部１３を制御する制御部１２と、を備える。【選択図】　　　図１
2004092966.tif 000002
【特許請求の範囲】
【請求項１】
空気清浄対象の室内に設置され、さらに室外に排気する換気装置と連動して動作する空気清浄機において、
前記換気装置に対する外部からの電力を供給／遮断のいずれかの状態に切り替える電源切替手段と、
前記室内の空気汚れ度を検出する汚れ度検出手段と、
前記汚れ度検出手段による空気汚れ度をあらかじめ設定される閾値にしたがって判定し、当該判定結果を基に前記電源切替手段に対して供給／遮断の切替信号を送り、前記電源切替手段を制御する制御手段と、
を備えたことを特徴とする空気清浄機。
【請求項２】
前記汚れ度検出手段は、ガスセンサで構成され、
前記制御手段は、前記ガスセンサで検出されたガス濃度値の大きさにしたがって前記電源切替手段に対して供給／遮断の切替信号を送り、前記電源切替手段を制御することを特徴とする請求項１に記載の空気清浄機。
【請求項３】
前記汚れ度検出手段は、前記室内のガス濃度を検出するガスセンサおよび前記室内の粉塵濃度を検出する煙センサで構成され、
前記制御手段は、前記ガスセンサで検出されたガス濃度値と前記煙センサで検出された粉塵濃度との加重平均値の大きさにしたがって前記電源切替手段に対して供給／遮断の切替信号を送り、前記電源切替手段を制御することを特徴とする請求項１に記載の空気清浄機。
【請求項４】
空気清浄対象の室内に設置され、さらに室外に排気する換気装置と連動して動作する空気清浄機において、
前記換気装置に対する外部からの電力を供給／遮断のいずれかの状態に切り替える電源切替手段と、
前記室内における人の在室／不在を検知する人検知手段と、
前記人検知手段による人の在室／不在の検知情報にしたがって前記電源切替手段に対して供給／遮断の切替信号を送り、前記電源切替手段を制御する制御手段と、
を備えたことを特徴とする空気清浄機。
【請求項５】
空気清浄対象の室内に設置され、さらに室外に排気する換気装置と連動して動作する空気清浄機において、
前記換気装置に対する外部からの電力を供給／遮断のいずれかの状態に切り替える電源切替手段と、
前記室内の空気汚れ度を検出する汚れ度検出手段と、
前記室内における人の在室／不在を検知する人検知手段と、
前記汚れ度検出手段による空気汚れ度と前記人検知手段による人の在室／不在の検知情報を入力し、その入力情報にしたがって前記電源切替手段に対して供給／遮断の切替信号を送り、前記電源切替手段を制御する制御手段と、
を備えたことを特徴とする空気清浄機。
【請求項６】
前記汚れ度検出手段は、ガスセンサで構成され、
前記制御手段は、前記ガスセンサで検出されたガス濃度値の大きさおよび前記人検知手段による在室／不在の情報にしたがって前記電源切替手段に対して供給／遮断の切替信号を送り、前記電源切替手段を制御することを特徴とする請求項５に記載の空気清浄機。
【請求項７】
前記汚れ度検出手段は、前記室内のガス濃度を検出するガスセンサおよび前記室内の粉塵濃度を検出する煙センサで構成され、
前記制御手段は、前記ガスセンサで検出されたガス濃度値と前記煙センサで検出された粉塵濃度との加重平均値の大きさ、および前記人検知手段による在室／不在の情報にしたがって前記電源切替手段に対して供給／遮断の切替信号を送り、前記電源切替手段を制御することを特徴とする請求項５に記載の空気清浄機。
【発明の詳細な説明】
【０００１】
【発明の属する技術分野】
本発明は、換気装置による換気機能と室内空気清浄機能とを連動させた空気清浄機に関し、より詳細には、換気装置専用の電源を設け、空気清浄対象の室内の空気の汚れ度または（および）人の在室／不在情報を取得する手段を備え、これらの取得情報にしたがって換気装置専用の電源の入／切を制御し、換気装置による電力消費の低減や空調効率を向上させる空気清浄機に関する。
【０００２】
【従来の技術】
従来より、一般家庭やオフィスなどの室内に設置される空気清浄機は、その室内における粉塵除去を主目的としており、ガス成分については活性炭などにより一部のものは除去することが可能であるが、有害な成分をすべて除去するものはなかった。そこで、ガス成分の除去には、換気装置と併用することが多い。
【０００３】
ところで、一般に換気装置には、空気の汚れを検出して換気動作を行なう動作の最適化機能を有するものがあり、高価である。また、動作の最適化機能を持たない換気装置の場合、動作の制御は人が行なうことになる。この場合、室内の空気が清浄化されるまで在室したのちに換気装置を切るか、あるいは清浄化前に切るという操作が行なわれる。
【０００４】
動作の最適化機能を有した換気装置のみで室内の空気清浄を行なう場合、室内の空気は清浄されるものの、特に喫煙用途に限れば、粉塵成分を大量に外部に撒き散らすことになるので、環境上好ましくない。したがって、空気清浄機と換気装置の併用が最適である。
【０００５】
このような換気機能付きの空気清浄機として、たとえば特開平２−３０２５３９号公報、特開平１１−２３０４２号公報、特開２００１−２４８８６５号公報に開示されている。また、換気装置を制御するものとして、たとえば特開平５−７１７７９号公報、特開２０００−３９１９４号公報、特開２００２−６１９３０号公報に開示されている。
【０００６】
また、空気清浄機と換気装置とを連動させる「空気清浄換気連動システム」が特許第３１８０３７４号公報に開示されている。この公報では、特に、経時による集塵能力の低下が著しくなった場合、空気清浄装置、換気装置のいずれか一方、または双方の空気清浄能力を上昇させるタイミングを早くするように制御している。
【０００７】
【発明が解決しようとする課題】
しかしながら、上記に示されるような従来の技術にあっては、まず、人による換気装置の入／切を行なう場合、室内の空気が清浄化されるまで在室したのちに換気装置を切るか、あるいは清浄化前に切ってしまうことがあり、適切な操作は必ずしも行なわれず、特に清浄化前に換気装置を切ってしまうと、室内の汚れの原因にもなっていた。また、切り忘れする場合も考えられ、この場合、換気装置の不要な電力消費だけではなく、余計な換気により夏季や冬季には空調効率の低下の原因になるという問題点があった。
【０００８】
また、換気装置と連動して空気清浄機を動作させる場合、空気清浄機と換気装置の最適なタイミングでの動作、停止の制御が行なわれず、換気装置の動作が不要な室内の状態であっても余分に換気装置が動作するため、無駄な電力の消費となり、不経済であった。
【０００９】
本発明は、上記に鑑みてなされたものであって、室内の汚れ状態または（および）人の有無に応じて換気装置への電力供給を制御することにより、換気装置の動作を最適化し、無駄な電力消費を抑制し、かつ空調効率を向上させることを目的とする。
【００１０】
【課題を解決するための手段】
上記の目的を達成するために、請求項１にかかる空気清浄機にあっては、空気清浄対象の室内に設置され、さらに室外に排気する換気装置と連動して動作する空気清浄機において、前記換気装置に対する外部からの電力を供給／遮断のいずれかの状態に切り替える電源切替手段と、前記室内の空気汚れ度を検出する汚れ度検出手段と、前記汚れ度検出手段による空気汚れ度をあらかじめ設定される閾値にしたがって判定し、当該判定結果を基に前記電源切替手段に対して供給／遮断の切替信号を送り、前記電源切替手段を制御する制御手段と、を備えたものである。
【００１１】
この発明によれば、室内の空気の汚れ度が所定値以上と判断した場合に換気装置への電力供給を行ない、他方、清浄時には換気装置への電力供給を遮断することにより、室内の空気が清浄化されている期間に発生する換気装置の余分な運転を回避させ、換気量の無駄をなくすことが可能になる。
【００１２】
また、請求項２にかかる空気清浄機にあっては、前記汚れ度検出手段は、ガスセンサで構成され、前記制御手段は、前記ガスセンサで検出されたガス濃度値の大きさにしたがって前記電源切替手段に対して供給／遮断の切替信号を送り、前記電源切替手段を制御するものである。
【００１３】
この発明によれば、請求項１において、室内のガス濃度が所定値以上と判断した場合に換気装置への電力供給を行ない、他方、清浄時には換気装置への電力供給を遮断することにより、室内が許容のガス濃度以下の清浄化されている期間に発生する換気装置の余分な運転を回避させ、換気量の無駄をなくすことが可能になる。
【００１４】
また、請求項３にかかる空気清浄機にあっては、前記汚れ度検出手段は、前記室内のガス濃度を検出するガスセンサおよび前記室内の粉塵濃度を検出する煙センサで構成され、前記制御手段は、前記ガスセンサで検出されたガス濃度値と前記煙センサで検出された粉塵濃度との加重平均値の大きさにしたがって前記電源切替手段に対して供給／遮断の切替信号を送り、前記電源切替手段を制御するものである。
【００１５】
この発明によれば、請求項１において、室内のガス濃度と粉塵濃度のいずれかまたは両方の値が所定値以上と判断した場合に換気装置への電力供給を行ない、他方、清浄時には換気装置への電力供給を遮断することにより、室内が許容のガス濃度以下、あるいは（および）粉塵濃度が許容以下に清浄化されている期間に発生する換気装置の余分な運転を回避させ、換気量の無駄をなくすことが可能になる。
【００１６】
また、請求項４にかかる空気清浄機にあっては、空気清浄対象の室内に設置され、さらに室外に排気する換気装置と連動して動作する空気清浄機において、前記換気装置に対する外部からの電力を供給／遮断のいずれかの状態に切り替える電源切替手段と、前記室内における人の在室／不在を検知する人検知手段と、前記人検知手段による人の在室／不在の検知情報にしたがって前記電源切替手段に対して供給／遮断の切替信号を送り、前記電源切替手段を制御する制御手段と、を備えたものである。
【００１７】
この発明によれば、室内での人の活動（在室状態）による空気の汚れが想定される場合に、換気装置への電力供給を行ない、他方、人の活動がなくなり不在状態のときに換気装置への電力供給を遮断することにより、人の不在期間に発生する換気装置の無駄な運転を回避させ、換気量の無駄をなくすことが可能になる。
【００１８】
また、請求項５にかかる空気清浄機にあっては、空気清浄対象の室内に設置され、さらに室外に排気する換気装置と連動して動作する空気清浄機において、前記換気装置に対する外部からの電力を供給／遮断のいずれかの状態に切り替える電源切替手段と、前記室内の空気汚れ度を検出する汚れ度検出手段と、前記室内における人の在室／不在を検知する人検知手段と、前記汚れ度検出手段による空気汚れ度と前記人検知手段による人の在室／不在の検知情報を入力し、その入力情報にしたがって前記電源切替手段に対して供給／遮断の切替信号を送り、前記電源切替手段を制御する制御手段と、を備えたものである。
【００１９】
この発明によれば、室内での人の活動による空気の汚れが検出されたときに換気装置を動作させ、空気の汚れがなくなったことが想定される場合には換気装置を停止させることにより、人の不在期間に発生する換気装置の無駄な運転を回避させ、換気量の無駄をなくすことが可能になる。
【００２０】
また、請求項６にかかる空気清浄機にあっては、前記汚れ度検出手段は、ガスセンサで構成され、前記制御手段は、前記ガスセンサで検出されたガス濃度値の大きさおよび前記人検知手段による在室／不在の情報にしたがって前記電源切替手段に対して供給／遮断の切替信号を送り、前記電源切替手段を制御するものである。
【００２１】
この発明によれば、請求項５において、室内での人の活動による空気の汚れ、特にガス濃度が高いと検出されたときに換気装置を動作させ、他方、ガス濃度が許容以下になったことが想定される場合には換気装置を停止させることにより、人の不在期間に発生する換気装置の無駄な運転を回避させ、換気量の無駄をなくすことが可能になる。
【００２２】
また、請求項７にかかる空気清浄機にあっては、前記汚れ度検出手段は、前記室内のガス濃度を検出するガスセンサおよび前記室内の粉塵濃度を検出する煙センサで構成され、前記制御手段は、前記ガスセンサで検出されたガス濃度値と前記煙センサで検出された粉塵濃度との加重平均値の大きさ、および前記人検知手段による在室／不在の情報にしたがって前記電源切替手段に対して供給／遮断の切替信号を送り、前記電源切替手段を制御するものである。
【００２３】
この発明によれば、請求項６において、室内での人の活動による空気の汚れ、特にガス濃度または（および）粉塵濃度が高いと検出されたときに換気装置を動作させ、他方、ガス濃度または（および）粉塵濃度が許容以下になったことが想定される場合には換気装置を停止させることにより、人の不在期間に発生する換気装置の無駄な運転を回避させ、換気量の無駄をなくすことが可能になる。
【００２４】
【発明の実施の形態】
以下、本発明にかかる空気清浄機の好適な実施の形態について添付図面を参照し、詳細に説明する。なお、この実施の形態は一例を示すものであり、本発明はこの実施の形態に限定されるものではない。
【００２５】
本発明の空気清浄機は、室内の空気汚れ度または（および）人の在室／不在の状態を検出することにより空気清浄に関わる室内の状態を判断し、この判断結果に応じ、空気清浄機に電源ＯＮ／ＯＦＦ（入／切）可能に接続された換気装置への電力供給を適切に切り替える機能を備えたものである。以下、具体的に実施の形態毎に説明する。
【００２６】
（実施の形態１）
図１は、本発明の実施の形態１にかかる空気清浄機１０ａの構成を示すブロック図である。この実施の形態１の空気清浄機１０ａは、空気の汚れ度合いを検出し、汚れ度信号ａを出力する汚れ検出部１１と、空気清浄動作を実行する制御部１２と、制御部１２の切替信号ｂにしたがって外部電源ＡＣ１００Ｖの入／切の切り替えを行なう電源切替部１３と、換気装置２０に電源を供給する換気装置専用電源コンセント１４と、を備えている。なお、この空気清浄機１０ａは、図示しないが、ある室内（一般家庭やオフィスなどの部屋）に設置され、さらに換気装置２０により室外に排気するように構成されている。
【００２７】
制御部１２は、制御プログラムを実行するＣＰＵ、制御プログラムや各種パラメータなどが格納されているＲＯＭ、制御途中のワーキングメモリとして使用されるＲＡＭなどを有する通常知られているマイクロコンピュータシステムで構成されている。
【００２８】
以上の構成において、空気清浄機１０ａは空気清浄動作中に、汚れ検出部１１により空気の汚れ度をリアルタイムで検出し、汚れ度信号ａを制御部１２に入力する。制御部１２は、汚れ検出部１１により室内の空気汚れ度を検出した後、換気装置専用コンセント１４への電力供給の入／切（供給／遮断）の可否を内部で判定し、切替信号ｂを電源切替部１３へ出力する。このとき、切替信号ｂが「入」の場合、電源切替部１３はＡＣ１００Ｖを換気装置専用電源コンセント１４へ供給する。一方、切替信号ｂが「切」の場合、電源切替部１３は換気装置専用電源コンセント１４へのＡＣ１００Ｖの供給を遮断する。
【００２９】
この実施の形態１の動作例を図２に示すフローチャートを参照し、説明する。まず、制御部１２は、汚れ検出部１１から入力される汚れ度信号ａから室内の空気汚れを検出する（ステップＳ１１）。続いて、換気装置専用電源コンセント１４が「入」状態か「切」状態かを判断する（ステップＳ１２）。先回出力の切替信号が「切」の場合、換気装置２０の始動判定に移行し換気装置２０の停止判定に移行する。
【００３０】
すなわち、ステップＳ１２において先回出力の切替信号が「入」の場合、さらに空気汚れ度≦換気装置停止閾値であるか、つまり汚れ度信号ａがあらかじめ設定した換気装置停止閾値以下であるか否かを判断し（ステップＳ１４）、ここで、汚れ度信号ａが換気装置停止閾値以下と判断したならば換気装置２０の電源供給の切り替えを「切」として（ステップＳ１５）、本動作を終了する。
【００３１】
一方、ステップＳ１２において先回出力の切替信号が「切」の場合、さらに空気汚れ度≧換気装置停止閾値であるか、つまり汚れ度信号ａがあらかじめ設定した換気装置停止閾値以上であるか否かを判断し（ステップＳ１６）、ここで、汚れ度信号ａが換気装置停止閾値以上と判断したならば換気装置２０への電源供給の切り替えを「入」として（ステップＳ１７）、本動作を終了する。
【００３２】
したがって、換気装置専用電源コンセント１４に換気装置２０を接続することにより、空気の汚れ度が大きくなったときに換気装置２０の電源が入って換気動作を行ない、他方、汚れ度が小さくなったときに換気装置２０の電源を遮断して停止することにより、空気の汚れていない場合における換気装置２０による無駄な電力消費を抑制することができる。また、このとき生じる不要な換気も存在しないので、換気装置動作の最適化や空調効率の最適化が実現する。
【００３３】
ところで、汚れ検出部１１として、たとえば、室内のＣＯ２，ＣＯ，ＮＯ２，ＳＯ２などのガス濃度を検出するガスセンサを用いる。すなわち、汚れ度信号ａとしてガス濃度情報を用いる。これにより、室内のガス濃度があらかじめ設定されている換気装置始動閾値以上になると、換気装置２０を動作させ、換気装置始動閾値以下になると換気装置２０を停止させることにより、ガス濃度が極めて低いときの換気装置２０の無駄な電力消費を抑制することができると共に、このとき発生する不要な換気も存在しないので、換気装置２０を有効に運転することができる。
【００３４】
さらに、汚れ検出部１１として、図３に示すようにガスセンサと煙センサの両センサを用いた構成としてもよい。図において、符号２１はガスセンサ、符号２２は煙センサ、符号２３はガスセンサ２１の出力値Ｓｇに定数ｍを乗算する乗算器、符号２４は煙センサ２２の出力Ｓｄに定数ｎを乗算する乗算器、符号２５はそれぞれの出力を加算する加算器である。
【００３５】
すなわち、ガスセンサ２１のガス濃度信号Ｓｇ、煙センサ２２の粉塵濃度信号Ｓｄに、それぞれｍ、ｎなる定数を乗じたものを加算し、汚れ度信号ａ（＝ｍ・Ｓｇ＋ｎ・Ｓｄ）を得る。このとき、０＜ｍ，ｎ＜１であり、ｍ＋ｎ＝１を満たすようにｍ、ｎを設定することにより、加重平均値となる。以下、図２に示したような制御を実行することにより、換気装置動作の最適化や空調効率の最適化が実現する。
【００３６】
（実施の形態２）
この実施の形態２では、実施の形態１において換気装置２０の動作／停止を室内の汚れ度によって制御したが、この実施の形態２では、人の「在室」、「不在」にしたがって換気装置２０の動作を制御するものである。
【００３７】
図４は、本発明の実施の形態２にかかる空気清浄機１０ｂの構成を示すブロック図である。この空気清浄機１０ｂは、先に述べた実施の形態１（図１参照）の空気清浄機１０ａの汚れ検出部１１の代わりに、人の存在を検知し、人検知信号ｃを制御部１２に供給する人検知部１７を設ける。なお、他の構成要素の構成および動作は実施の形態１と同様であるので、図１と同一符号を付し、ここでの説明は省略する。人検知部１７としては、たとえば赤外線を用いた赤外線センサによる光学センサを採用する。
【００３８】
この実施の形態１の動作例を図５に示すフローチャートを参照し、説明する。まず、人検知部１７により人の存在有無を検出する（ステップＳ２１）。制御部１２は、人検知部１７から入力される人検知信号ｃから人が「在室」であるか「不在」であるか否かを検出する（ステップＳ２２）。ここで、「在室」であると判断した場合、電源切替部１３に対する切替信号ｂを「入」にし（ステップＳ２３）、換気装置２０に電源を供給して動作させる。
【００３９】
一方、ステップＳ２２において「不在」であると判断した場合、停止判定を行なう（ステップＳ２４）。この停止判定は、人検知部１７の仕様に依存するものであり、人検知部１７が人の動きを検知するものの場合、在室時であっても人の動きがなければ検知されないので、不在信号が一定時間継続した場合をもって停止と判定する。
【００４０】
したがって、この実施の形態２における換気装置２０は、人の在室時に動作し、不在時に停止になるので、換気装置２０の動作を最適な状態で制御することができ、かつ空調効率の最適化も実現する。
【００４１】
（実施の形態３）
この実施の形態３では、汚れ検出部１１と人検知部１７の２つを設け、これらの信号を制御部１２の入力信号として用いる。この構成によるこの実施の形態３にかかる空気清浄機１０ｃの構成を図６に示す。本構成は、実施の形態１および実施の形態２とを組み合わせたものであるため、図１および図４と同一の符号を付し、その説明は省略する。
【００４２】
つぎに、図６のように構成された空気清浄機１０ｃの動作について図７に示すフローチャートを参照し、説明する。まず、汚れ検出部１１により空気の汚れを検出し、同時に人検知部１７により人の在室／不在を検知する（ステップＳ３１）。続いて、換気装置用電源の状態が「入」／「切」であるかを判定する（ステップＳ３２）。この場合、先回の切替信号ｂが「切」の場合、さらに人の検出、すなわち在室であるか不在である否かを判断する（ステップＳ３３）。
【００４３】
ここで、在室であると判断した場合、さらに空気汚れ度≦換気装置停止閾値であるか、つまり汚れ度信号ａがあらかじめ設定した換気装置停止閾値以下であるか否かを判断し（ステップＳ３４）、汚れ度信号ａが換気装置停止閾値以下と判断したならば換気装置２０の電源供給の切り替えを「切」として（ステップＳ３５）、本動作を終了する。
【００４４】
一方、ステップＳ３２において先回出力の切替信号が「入」の場合、さらに空気汚れ度≧換気装置停止閾値であるか、つまり汚れ度信号ａがあらかじめ設定した換気装置停止閾値以上であるか否かを判断し（ステップＳ３６）、ここで、汚れ度信号ａが換気装置停止閾値以上であると判断したならば換気装置２０への電源供給の切り替えを「入」のままの状態として（ステップＳ３７）、本動作を終了する。
【００４５】
したがって、換気装置２０は、人の在室時に空気の汚れがあれば動作し、他方、清浄時には停止するため、換気装置の動作を最適化することができ、かつ空調効率の最適化が達成される。また、不在時に何らかの原因により生じた発火・発煙などには換気装置２０が動作しないため、これらの状態を大きくすることなく安全に運用することができる。
【００４６】
ところで、図６に示した空気清浄機１０ｃの汚れ検出部１１にガスセンサを用い、汚れ度信号ａをガス濃度として、前述した図７に示す動作を実行する。これにより、換気装置２０は人の在室時にガス濃度が高ければ動作し、清浄時には停止するので、換気装置動作の最適化や空調効率の達成が実現し、不在時に生じた発火・発煙などには換気装置２０が動作しないので、これらの状態を助長することなく安全に運用できる。
【００４７】
また、図６に示した空気清浄機１０ｃの汚れ検出部１１に、図３に示したようなガスセンサ１２と煙センサ１３とを用いる。図３に示すように、汚れ度信号ａにガス濃度と粉塵濃度の加重平均値を用い、前述した図７に示す動作を実行する。これにより、換気装置２０は人の在室時に空気の汚れがあれば動作し、清浄時には停止するので、換気装置動作の最適化や空調効率の達成が実現し、不在時に生じた発火・発煙などには換気装置２０が動作しないので、これらの状態を助長することなく安全に運用できる。また、ガスセンサ１２と煙センサ１３との出力の加重平均値を用いることにより、ガスセンサ１２で生じる急激な湿度変化の影響を軽減することもできる。
【００４８】
【発明の効果】
以上説明したように、本発明にかかる空気清浄機（請求項１）によれば、室内の空気の汚れ度が所定値以上と判断した場合に換気装置への電力供給を行ない、他方、清浄時には換気装置への電力供給を遮断することにより、室内の空気が清浄化されている期間（換気不要機関）に発生する換気装置の余分な運転を回避させ、換気量の無駄をなくすことが可能になるため、換気装置の動作を最適化することができ、かつ、空調効率を向上させることができる。
【００４９】
また、本発明にかかる空気清浄機（請求項２）によれば、請求項１において、室内のガス濃度が所定値以上と判断した場合に換気装置への電力供給を行ない、他方、清浄時には換気装置への電力供給を遮断することにより、室内が許容のガス濃度以下の清浄化されている期間に発生する換気装置の無駄な運転を回避させ、換気量の無駄をなくすことが可能になるため、換気装置の動作を最適化することができ、かつ、空調効率を向上させることができる。
【００５０】
また、本発明にかかる空気清浄機（請求項３）によれば、請求項１において、室内のガス濃度と粉塵濃度のいずれかまたは両方の値が所定値以上と判断した場合に換気装置への電力供給を行ない、他方、清浄時には換気装置への電力供給を遮断することにより、室内が許容のガス濃度以下、あるいは（および）粉塵濃度が許容以下に清浄化されている期間に発生する換気装置の無駄な運転を回避させ、換気量の無駄をなくすことが可能になるため、換気装置の動作を最適化することができ、かつ、空調効率を向上させることができる。また、一部のガスセンサ特有の湿度の急激な変化に起因する出力の変動も軽減することができる。
【００５１】
また、本発明にかかる空気清浄機（請求項４）によれば、室内での人の活動（在室状態）による空気の汚れが想定される場合に、換気装置への電力供給を行ない、他方、人の活動がなくなり不在状態のときに換気装置への電力供給を遮断することにより、人の不在している間に発生する換気装置の無駄な運転を回避させ、換気量の無駄をなくすことが可能になるため、換気装置の動作を最適化することができ、かつ、空調効率を向上させることができる。
【００５２】
また、本発明にかかる空気清浄機（請求項５）によれば、室内での人の活動による空気の汚れが検出されたときに換気装置を動作させ、空気の汚れがなくなったことが想定される場合には換気装置を停止させることにより、人の不在期間に発生する換気装置の無駄な運転を回避させ、換気量の無駄をなくすことが可能になるため、換気装置の動作を最適化することができ、かつ、空調効率を向上させることができる。また、人が室内を出ているときに万が一発火や発煙が発生した場合、換気装置は動作していないので、これらの規模を助長することなく安全側に作用させることができる。
【００５３】
また、本発明にかかる空気清浄機（請求項６）によれば、請求項５において、室内での人の活動による空気の汚れ、特にガス濃度が高いと検出されたときに換気装置を動作させ、他方、ガス濃度が許容以下になったことが想定される場合には換気装置を停止させることにより、人の不在期間に発生する換気装置の無駄な運転を回避させ、換気量の無駄をなくすことが可能になるため、換気装置の動作を最適化することができ、かつ、空調効率を向上させることができる。また、人が室内に居ないときに何らかの原因により発火や発煙が発生した場合、換気装置は動作していないので、室内空気の流れが略止まった状態となり、これらの規模を助長することなく安全側に作用させることができる。
【００５４】
また、本発明にかかる空気清浄機（請求項７）によれば、請求項６において、室内での人の活動による空気の汚れ、特にガス濃度または（および）粉塵濃度が高いと検出されたときに換気装置を動作させ、他方、ガス濃度または（および）粉塵濃度が許容以下になったことが想定される場合には換気装置を停止させることにより、人の不在期間に発生する換気装置の無駄な運転を回避させ、換気量の無駄をなくすことが可能になるため、換気装置の動作を最適化することができ、かつ、空調効率を向上させることができる。また、人が室内に居ないときに万が一発火や発煙が発生した場合、換気装置は動作していないので、空気の流れによるこれらの規模を助長することなく安全側に作用させることができる。
【図面の簡単な説明】
【図１】本発明の実施の形態１にかかる空気清浄機の構成を示すブロック図である。
【図２】本発明の実施の形態１にかかる空気清浄機の動作を示すフローチャートである。
【図３】汚れ検知部にガスセンサと煙センサとを用いた場合の構成を示すブロック図である。
【図４】本発明の実施の形態２にかかる空気清浄機の構成を示すブロック図である。
【図５】本発明の実施の形態２にかかる空気清浄機の動作を示すフローチャートである。
【図６】本発明の実施の形態３にかかる空気清浄機の構成を示すブロック図である。
【図７】本発明の実施の形態３にかかる空気清浄機の動作を示すフローチャートである。
【符号の説明】
１０ａ，１０ｂ，１０ｃ　空気清浄機
１１　汚れ検出部
１２　制御部
１３　電源切替部
１４　換気装置専用電源コンセント
１７　人検知部
２０　換気装置
２１　ガスセンサ
２２　煙センサ
【図１】
2004092966.tif 000003
【図２】
2004092966.tif 000004
【図３】
2004092966.tif 000005
【図４】
2004092966.tif 000006
【図５】
2004092966.tif 000007
【図６】
2004092966.tif 000008
【図７】
2004092966.tif 000009